(57)【要約】【解決手段】互いに間隔をあけて並べた複数の金属製支持脚２間に複数の金属製載置台４を交差させて載置した状態で互いに間隔をあけて並べて架設している。各金属製載置台４に設けた載置面８のうちいずれかの載置面８は、ホットメルトを塗着した滑止め部１０を有している。【効果】強度を高めることができるがその反面、滑り易い金属製載置台４であっても、ホットメルトを利用することにより滑止め機能を高めるとともに、ホットメルトの接着性を利用することにより金属製載置台４に対しホットメルトを容易に塗着することができる。【選択図】図１
2010105700.tif 000002
【特許請求の範囲】
【請求項１】
互いに間隔をあけて並べた複数の金属製支持脚間に複数の金属製載置台を交差させて載置した状態で互いに間隔をあけて並べて架設した荷物載置用金属製パレットにおいて、各金属製載置台に設けた台部の載置面のうちいずれかの載置面は、ホットメルトを塗着した滑止め部を有していることを特徴とする荷物載置用金属製パレット。
【請求項２】
前記滑止め部は、ホットメルトにより形成された滑止め突部と、その滑止め突部間で形成された凹みとからなることを特徴とする請求項１に記載の荷物載置用金属製パレット。
【請求項３】
前記滑止め部は前記台部の載置面で互いに分離されて並設されたホットメルトの島を備え、各島間でホットメルトを有しない凹みを設けたことを特徴とする請求項１または請求項２に記載の荷物載置用金属製パレット。
【請求項４】
前記各金属製載置台の台部は、長手方向へ延びて幅方向へ並べられた複数の山部と、互いに隣接する両山部間に設けられて長手方向へ延びる谷部とを有し、前記載置面はこの山部上に設けられていることを特徴とする請求項１または請求項２または請求項３に記載の荷物載置用金属製パレット。
【発明の詳細な説明】
【技術分野】
【０００１】
本発明は、例えばフォークリフトにより荷物を搬送する際に利用する荷物載置用金属製パレットに関するものである。
【背景技術】
【０００２】
従来、下記特許文献１に示す金属製パレットにおいては、脚部桟の上側に取着された受け台に対し本体桟が螺着されている。
【特許文献１】特開平１１−５９６７５号公報
【発明の開示】
【発明が解決しようとする課題】
【０００３】
上記本体桟は金属により成形されているため、その本体桟の荷物載置面（金属面）で荷物が滑り易くなる問題があった。
この発明は、金属製支持脚上に取着した金属製載置台の荷物載置面で荷物が滑りにくくすることを目的としている。
【課題を解決するための手段】
【０００４】
後記実施形態の図面（図１〜２）の符号を援用して本発明を説明する。
請求項１の発明にかかる荷物載置用金属製パレットにおいては、互いに間隔をあけて並べた複数の金属製支持脚２間に複数の金属製載置台４を交差させて載置した状態で互いに間隔をあけて並べて架設している。各金属製載置台４に設けた台部５の載置面８のうちいずれかの載置面８は、ホットメルトを塗着した滑止め部１０を有している。
【０００５】
請求項１の発明では、強度を高めることができるがその反面、滑り易い金属製の台部５であっても、ホットメルトを利用することにより滑止め機能を高めることができる。また、ホットメルトの接着性を利用することにより金属製載置台４の台部５に対しホットメルトを容易に塗着することができる。
【０００６】
請求項１の発明を前提とする請求項２の発明において、前記滑止め部１０は、ホットメルトにより形成された滑止め突部１１と、その滑止め突部１１間で形成された凹み１２（例えばホットメルトを有しない凹み１２）とからなる。請求項２の発明では、ホットメルトによる滑止め突部１１と凹み１２とで形成された凹凸状により滑り阻止抵抗をより一層高めることができる。
【０００７】
請求項１または請求項２の発明を前提とする請求項３の発明において、前記滑止め部１０は前記台部５の載置面８で互いに分離されて並設されたホットメルトの島１０ａを備え、各島１０ａ間でホットメルトを有しない凹み９を設けている。請求項３の発明では、滑止め部１０におけるホットメルトの島１０ａとこの凹み９とで形成された凹凸状により滑り阻止抵抗をより一層高めることができる。
【０００８】
請求項１または請求項２または請求項３の発明を前提とする請求項４の発明において、前記各金属製載置台４の台部５は、長手方向Ａへ延びて幅方向Ｂへ並べられた複数の山部６と、互いに隣接する両山部６間に設けられて長手方向Ａへ延びる谷部７とを有し、前記載置面８はこの山部６上に設けられている。請求項４の発明では、台部５の山部６と谷部７とで形成された凹凸状により滑り阻止抵抗をより一層高めることができる。
【発明の効果】
【０００９】
本発明は、金属製支持脚２上に取着した金属製載置台４の荷物載置面８で荷物を滑りにくくすることができる。
【発明を実施するための最良の形態】
【００１０】
以下、本発明の第１実施形態にかかる荷物載置用金属製パレットについて図１（ａ）（ｂ）（ｃ）及び図２（ａ）（ｂ）を参照して説明する。
一対の金属製コ字部材１はアルミニウムなどの金属により成形され、この両コ字部材１を互いに突き合わせて点溶接することにより金属製支持脚２が断面環状に形成されている。この金属製支持脚２には一対の支持孔３が並設されている。金属製載置台４はアルミニウムなどの金属により成形され、３個の山部６と、互いに隣接する両山部６間に設けられた２個の谷部７とからなる台部５を有している。この各山部６上に載置面８が設けられている。３本の金属製支持脚２は互いに間隔をあけて前後方向Ａへ並べられ、この各金属製支持脚２上に５枚の金属製載置台４が９０度に交差して載置された状態で互いに間隔をあけて左右方向Ｂへ並べられ、点溶接されて架設されている。この荷物載置用金属製パレットは、左右方向Ｂの両側で前後方向Ａへ並ぶ各支持孔３に挿入されたフォークリフト等の昇降アームにより上下方向Ｃへ昇降される。
【００１１】
前記各金属製載置台４の台部５で山部６上に設けられた載置面８の全体には、金属面９上にホットメルトを塗着した滑止め部１０が設けられている。このホットメルトとしては、例えば、軟化点が８０〜９０℃で、粘度が１１００〜１４００ＣＰＳ（１８０℃）及び１６００〜２４００ＣＰＳ（１７０℃）であるエチレン酢酸ビニル共重合物を採用する。この滑止め部１０としては、ホットメルトをシート状に塗布して圧接したものを採用している。
【００１２】
図１（ｄ）に示す第２実施形態において、前記滑止め部１０は、前記台部５の載置面８で互いに分離されて前後方向Ａへ並設された複数の島１０ａを備え、各島１０ａ間でホットメルトを有しない凹みとして金属面９が露出している。この各島１０ａもホットメルトをシート状に塗布して圧接したものを採用している。
【００１３】
図２（ｃ）に示す第１，２実施形態の別例１において、滑止め部１０は、ホットメルトをスパイラル状に塗布して圧接した滑止め突部１１と、その滑止め突部１１間でホットメルトを有しないために金属面９が露出する凹み１２とからなる。
【００１４】
図２（ｄ）に示す第１，２実施形態の別例２において、滑止め部１０は、ホットメルトを噴霧による微細な線状に塗布して圧接した滑止め突部１１と、その滑止め突部１１間でホットメルトを有しないために金属面９が露出する凹み１２とからなる。
【００１５】
図２（ｅ）に示す第１，２実施形態の別例３において、滑止め部１０は、ホットメルトを互いに分離した多数の点状に塗布して圧接した滑止め突部１１と、その滑止め突部１１間でホットメルトを有しないために金属面９が露出する凹み１２とからなる。
【００１６】
本実施形態は下記の効果を有する。
＊  金属製載置台４においてホットメルトを塗着した滑止め部１０を有する載置面８により滑止め機能を高めて荷物を滑りにくくすることができる。
【００１７】
＊  ホットメルトの接着性を利用することにより金属製載置台４の載置面８に対しホットメルトを容易に塗着することができる。
＊  滑止め部１０において、ホットメルトにより形成された滑止め突部１１と、ホットメルトを有しない凹み１２とで形成された凹凸状により、滑り阻止抵抗をより一層高めることができる。
【００１８】
＊  滑止め部１０において、ホットメルトにより形成された各島１０ａと、ホットメルトを有しない凹みとしての金属面９とで形成された凹凸状により、滑り阻止抵抗をより一層高めることができる。
【００１９】
前記実施形態以外にも例えば下記のように構成してもよい。
・  第１，２実施形態及びその別例１〜３において、各金属製載置台４に設けた台部５の載置面８のうち一部に、例えば、各金属製載置台４の台部５の各山部６における前後方向Ａの両側の載置面８や、各金属製載置台４の台部５の各山部６における前後方向Ａの中央の載置面８や、各金属製載置台４のうち左右方向Ｂの中央を除く両側各２枚の金属製載置台４の台部５の載置面８や、各金属製載置台４の台部５の各山部６のうち左右方向Ｂの両側の山部６の載置面８や、各金属製載置台４の台部５の各山部６のうち左右方向Ｂの中央の山部６の載置面８などに、ホットメルトを塗着した滑止め部１０を設けてもよい。
【００２０】
・  第１，２実施形態の別例１〜３における凹みとしては、ホットメルトの滑止め突部１１（山部）よりも低いホットメルトの谷部にすることができる。
・  第１，２実施形態の別例１〜３における滑止め部１０の形態をスパイラル状や噴霧状や点状以外に各種変更することができる。
【００２１】
・  第２実施形態における各島１０ａの並設方向や配置構成を各種変更することができる。
【図面の簡単な説明】
【００２２】
【図１】（ａ）は第１実施形態にかかる荷物載置用金属製パレットの全体を平面側から見て示す組立て斜視図であり、（ｂ）はこの荷物載置用金属製パレットの側面図であり、（ｃ）は第１実施形態にかかる滑止め部を示す部分平面図であり、（ｄ）は第２実施形態にかかる滑止め部を示す部分平面図である。
【図２】（ａ）は第１実施形態にかかる荷物載置用金属製パレットの正面図であり、（ｂ）はこの荷物載置用金属製パレットの金属製載置台を示す部分拡大正面図であり、（ｃ）（ｄ）（ｅ）はそれぞれ第１，２実施形態の別例において滑止め部を示す部分拡大平面図である。
【符号の説明】
【００２３】
２…金属製支持脚、４…金属製載置台、５…台部、６…山部、７…谷部、８…載置面、１０…滑止め部、１０ａ…島、１１…滑止め突部、１２…凹み。
【図１】
2010105700.tif 000003
【図２】
2010105700.tif 000004